(57)【特許請求の範囲】
【請求項１】
誤り訂正処理で訂正したエラー数を示すエラーカウント値を伝送路及び送受信機のいずれかの状態や特性を示す一つの指標として用いる光伝送システムの受信機であって、
受信した光信号を電気信号に変換するＯ／Ｅ変換部と、
変換された電気信号からクロックを再生するクロック再生回路と、
再生されたクロックを基に変換された電気信号に対して０／１の識別を行う０／１識別回路と、
前記０／１識別回路により識別されたデータの誤り訂正処理を行う誤り訂正回路と、
前記誤り訂正回路からの前記エラーカウント値が所定の値を超過した場合に、前記エラーカウント値を用いて制御対象の回路の閾値を所定の値から予め設定された変動幅にて逐次調整するエラーカウントフィードバック回路と、を有することを特徴とする受信機。
【請求項２】
前記エラーカウントフィードバック回路は、
前記誤り訂正部からのエラーカウント値を積算する積算手段と、
前記積算手段の積算値を一時的に格納する積算値メモリと、
前記積算手段の積算値と前記積算値メモリに格納された積算値との差分を算出する差分算出手段と、
前記差分算出手段の差分値から前記制御対象の回路への制御電圧の調整方向を判定する電圧調整方向判定手段と、
前記電圧調整方向判定手段の判定結果から制御電圧を求める制御電圧調整手段と、
前記制御電圧調整手段で求めた制御電圧に外部から入力されるオフセット電圧を加算して前記制御対象の回路に出力するオフセット調整手段と、を含むことを特徴とする請求項１記載の受信機。
【請求項３】
前記積算手段の積算値から前記制御電圧の調整の有無を判断する判断手段と、
前記判断手段の判断結果が調整実施の時に前記電圧調整方向判定手段の電圧調整方向出力を選択しかつ前記判断手段の判断結果が未調整の時に予め設定された固定値を選択するスイッチ手段と、を前記調整手段に含むことを特徴とする請求項２記載の受信機。
【請求項４】
前記積算手段の積算値から前記制御電圧の調整の有無を判断する判断手段と、
前記判断手段の判断結果が未調整の時に前記差分手段の出力にリセットをかけて予め設定された固定値を出力する手段と、を前記調整手段に含むことを特徴とする請求項２記載の受信機。
【請求項５】
Ｏ／Ｅ変換部、クロック再生回路、０／１識別回路、誤り訂正回路、及び、エラーカウントフィードバック回路を有し、前記誤り訂正回路で訂正したエラー数を示すエラーカウント値を伝送路及び送受信機のいずれかの状態や特性を示す一つの指標として用いる光伝送システムのエラーカウントフィードバック方法であって、
前記Ｏ／Ｅ変換部において、受信した光信号を電気信号に変換し、
前記クロック再生回路において、前記電気信号からクロックを再生し、
前記０／１識別回路において、前記電気信号に対して０／１の識別を行い、
前記誤り訂正回路において、前記０／１識別回路により識別されたデータの誤り訂正処理を行い、
前記エラーカウントフィードバック回路において、前記誤り訂正回路からの前記エラーカウント値が所定の値を超過した場合に、前記エラーカウント値を用いて制御対象の回路の閾値を所定の値から予め設定された変動幅にて逐次調整することを特徴とするエラーカウントフィードバック方法。
【請求項６】
前記エラーカウントフィードバック方法は、
前記誤り訂正部からのエラーカウント値を積算するステップと、
その積算値を一時的に積算値メモリに格納するステップと、
前記積算値と前記積算値メモリに格納された積算値との差分を算出するステップと、
この差分値から前記制御対象の回路への制御電圧の調整方向を判定するステップと、
その判定結果から制御電圧を求めるステップと、
この求めた制御電圧に外部から入力されるオフセット電圧を加算して前記制御対象の回路に出力するステップと、を含むことを特徴とする請求項５記載のエラーカウントフィードバック方法。
【請求項７】
前記エラーカウントフィードバック方法は、
前記積算値から前記制御電圧の調整の有無を判断するステップと、
この判断結果が調整実施の時に前記電圧調整方向判定手段の電圧調整方向出力を選択しかつ前記判断結果が未調整の時に予め設定された固定値を選択するステップと、を含むことを特徴とする請求項６記載のエラーカウントフィードバック方法。
【請求項８】
前記エラーカウントフィードバック方法は、
前記積算値から前記制御電圧の調整の有無を判断するステップと、
この判断結果が未調整の時に前記差分値をリセットして予め設定された固定値を出力するステップと、を含むことを特徴とする請求項６記載のエラーカウントフィードバック方法。
【発明の詳細な説明】
【０００１】
【発明の属する技術分野】
本発明は受信機及びそれに用いるエラーカウントフィードバック方法に関し、特に長距離光伝送システムに導入される誤り訂正処理部で訂正したエラー数を示すエラーカウント値を伝送路または送受信機の状態や特性を示す一つの指標として用いる方法に関する。
【０００２】
【従来の技術】
近年、長距離光伝送システムにおいては、伝送距離の拡大、システムマージンの確保、伝送品質の向上等を目的として、誤り訂正処理が導入されている。一般的に、誤り訂正処理部では誤り訂正処理に加え、訂正したエラー数を示すエラーカウント値を出力することが可能である。エラーカウント値は伝送路または送受信機の状態や特性を示す一つの指標となる。
【０００３】
よって、エラーカウント情報を基に各種の伝送パラメータを制御することで、環境条件の変化やデバイスの経年劣化による伝送特性の変動等に対して適応的に対応することが可能となる。
【０００４】
一般的な光伝送システムの受信機の構成を図１２に示す。図１２に示す例では、受信した光信号をＯ／Ｅ（Ｏｐｔｉｃ／Ｅｌｅｃｔｒｏ）変換部１にて電気信号に変換した後、クロック再生回路２でクロックを再生して０／１識別回路３で０／１の識別を行うが、０／１の識別閾値は、図１３（ａ）に示すように、固定値が設定されている。誤り訂正回路４は０／１識別回路３で識別された０／１の識別閾値（データ）の誤り訂正処理を行う。
【０００５】
【発明が解決しようとする課題】
しかしながら、上述した従来の長距離光伝送システムでは、伝送路や受信機の劣化または環境条件の変化等で、図１３（ｂ）に示すように、信号波形が劣化した場合、０／１の識別点が適切な位置からずれているため、誤りが生じる可能性が高くなり、結果として受信機の特性が劣化することになる。
【０００６】
そこで、本発明の目的は上記の問題点を解消し、運用中における伝送パラメータの自動調整を行うことができる受信機及びそれに用いるエラーカウントフィードバック方法を提供することにある。
【０００７】
【課題を解決するための手段】
本発明による受信機は、誤り訂正処理部で訂正したエラー数を示すエラーカウント値を伝送路及び送受信機のいずれかの状態や特性を示す一つの指標として用いる光伝送システムの受信機であって、前記エラーカウント値が所定の値を超過した場合に、前記エラーカウント値を用いて制御対象の回路の閾値を所定の値から予め設定された変動幅にて逐次調整する調整手段を備えている。
【０００８】
本発明による他の受信機は、受信した光信号が電気信号に変換された信号を分配する分配手段を含む光伝送システムの受信機であって、
各々段階的に異なるバイアス電圧に設定されかつ前記分配手段で分配された信号を増幅する複数の増幅手段と、各々同一の閾値に固定されかつ前記複数の増幅手段で増幅された信号に対する処理を行う複数の制御対象の回路とを有し、
前記複数の制御対象の回路に入力される信号のレベルを前記複数の増幅手段にて上下させている。
【０００９】
本発明による別の受信機は、受信した光信号が電気信号に変換された信号を分配する分配手段を含む光伝送システムの受信機であって、
各々同一のバイアス電圧と段階的に異なるゲインとが設定されかつ前記分配手段で分配された信号を増幅する複数の増幅手段と、各々同一の閾値に固定されかつ前記複数の増幅手段で増幅された信号に対する処理を行う複数の制御対象の回路とを備え、
前記複数の制御対象の回路に入力される信号のレベルを前記複数の増幅手段にて上下させている。
【００１０】
本発明によるエラーカウントフィードバック方法は、誤り訂正処理部で訂正したエラー数を示すエラーカウント値を伝送路及び送受信機のいずれかの状態や特性を示す一つの指標として用いる光伝送システムのエラーカウントフィードバック方法であって、前記エラーカウント値が所定の値を超過した場合に、前記エラーカウント値を用いて制御対象の回路の閾値を所定の値から予め設定された変動幅にて逐次調整するステップを備えている。
【００１１】
すなわち、本発明のエラーカウントフィードバック回路は、積算エラーカウント値の差分情報を用いた逐次自動制御、エラー数の閾値判定による無用な調整動作の抑圧、小規模な回路で実現可能な簡潔なロジックとメモリとによる構成をとることで、伝送特性の劣化に対して自動的にかつ安定して動作することが可能となり、また通常運用時における伝送パラメータの制御が現状よりも特性を悪化させる危険性をなくすことが可能になるとともに、装置の小型化の要求（簡潔な構成の要求）を実現することが可能となる。
【００１２】
また、本発明のエラーカウントフィードバック回路では、エラーフィードバックの一般的な回路構成であるため、上記の０／１識別の閾値調整以外にも、０／１識別の位相調整、分散補償量調整や送信側のプリエンファシス量調整等、エラーカウント値を必要とするフィードバック系に汎用的に組み込むことが可能となる。
【００１３】
つまり、上記のエラーカウント値を用いた制御には、エラーカウント値から制御電圧を生成するエラーカウントフィードバック回路が必要となるので、本発明では伝送路や受信機のパラメータを制御対象としたエラーカウントフィードバック回路の構成を提案している。
【００１４】
より具体的に説明すると、本発明のエラーカウントフィードバック回路では、誤り訂正処理部からのエラーカウント値を用いて０／１識別回路の閾値を逐次調整する構成とすることで、初期状態から波形の劣化状態に遷移した場合でも適切な閾値を保つことが可能となる。
【００１５】
また、本発明のエラーカウントフィードバック回路では、受信機の識別回路の閾値設定にエラーカウント値のフィードバックを適用した例以外にも、分散補償量や識別回路の位相、送信側のプリエンファシス量の自動調整等も同様に行うことが可能となり、伝送システムにおいてエラーカウントのフィードバック処理を広範囲に渡って適用することが可能となる。
【００１６】
【発明の実施の形態】
次に、本発明の実施例について図面を参照して説明する。図１は本発明の第１の実施例による光伝送システムの受信機の構成を示すブロック図である。図１において、本発明の第１の実施例による光伝送システムは、導入される誤り訂正処理部で訂正したエラー数を示すエラーカウント値を伝送路または送受信機の状態や特性を示す一つの指標として用いる長距離光伝送システムを示している。
【００１７】
本発明の第１の実施例による光伝送システムの受信機はＯ／Ｅ（Ｏｐｔｉｃ／Ｅｌｅｃｔｒｏ）変換部１と、クロック再生回路２と、０／１識別回路３と、誤り訂正回路４と、エラーカウントフィードバック回路５とから構成されている。
【００１８】
Ｏ／Ｅ変換部１は受信した光信号を電気信号に変換し、クロック再生回路２はＯ／Ｅ変換部１で変換された電気信号からクロックを再生する。０／１識別回路３はクロック再生回路２で再生されたクロックを基にＯ／Ｅ変換部１で変換された電気信号に対して０／１の識別を行う。
【００１９】
誤り訂正回路４はクロック再生回路２で再生されたクロックを基に０／１識別回路３で識別された０／１の識別閾値（データ）の誤り訂正処理を行う。エラーカウントフィードバック回路５は誤り訂正回路４からのエラーカウント値を制御電圧値として０／１識別回路３に出力し、０／１識別回路３の閾値設定にエラーカウント値のフィードバックを適用する。
【００２０】
図２（ａ）は本発明の第１の実施例による光伝送システムにおける初期設定時の受信波形と可変閾値との関係を示す図であり、図２（ｂ）は本発明の第１の実施例による光伝送システムにおける劣化時の受信波形と可変閾値との関係を示す図である。
【００２１】
上述したように、エラーカウントフィードバック回路５が誤り訂正回路４からのエラーカウント値を用いて０／１識別回路３の閾値を逐次調整する構成とすることで、図２（ａ）に示す初期状態から図２（ｂ）に示すように波形が劣化した場合でも適切な閾値を保つことが可能となる。
【００２２】
図３は図１のエラーカウントフィードバック回路５の構成例を示すブロック図である。図３において、エラーカウントフィードバック回路５はエラーカウントｎ秒積算部５１と、積算値メモリ５２と、調整実施判定部５３と、差分回路５４と、電圧調整方向判定部５５と、調整ＯＮ／ＯＦＦスイッチ５６と、制御電圧調整部５７と、オフセット調整部５８とから構成されている。
【００２３】
誤り訂正回路４からのエラーカウント値出力はエラーカウントｎ秒積算部５１の入力に接続され、エラーカウントｎ秒積算部５１で積算される。エラーカウントｎ秒積算部５１の積算値出力は３分岐され、積算値メモリ５２と調整実施判定部５３と差分回路５４とにそれぞれ入力される。
【００２４】
積算値メモリ５２はエラーカウントｎ秒積算部５１の積算値を一時的に格納し、その出力は差分回路５４の入力に接続される。調整実施判定部５３はエラーカウントｎ秒積算部５１の積算値から制御電圧の調整のＯＮ／ＯＦＦを判断し、その制御出力は調整ＯＮ／ＯＦＦスイッチ５６のスイッチ制御信号入力に接続される。
【００２５】
差分回路５４はエラーカウントｎ秒積算部５１の積算値と積算値メモリ５２に一時的に格納された積算値との差分をとり、その差分値出力は電圧調整方向判定部５５の入力に接続される。電圧調整方向判定部５５は差分回路５４の差分値から制御電圧の調整方向を判定し、その電圧調整方向出力は調整ＯＮ／ＯＦＦスイッチ５６に接続される。
【００２６】
調整ＯＮ／ＯＦＦスイッチ５６は調整実施判定部５３の制御出力を基に、調整実施時に電圧調整方向判定部５５の電圧調整方向出力を選択し、未調整時に固定値を選択し、その出力は制御電圧調整部５７に接続される。
【００２７】
制御電圧調整部５７は調整ＯＮ／ＯＦＦスイッチ５６の電圧調整方向を示す値から制御電圧を求め、その出力はオフセット調整部５８の入力に接続される。オフセット調整部５８は制御電圧調整部５７の制御電圧に外部から入力されるオフセット電圧（制御電圧の初期値）を加算し、その出力は最終的な制御電圧値として制御対象の回路（本実施例の場合、０／１識別回路３）へ出力される。
【００２８】
図４は本発明の第１の実施例による光伝送システムにおける電圧調整方向Ｖ（ｔ）の決定方法の一例を示す図であり、図５は本発明の第１の実施例による光伝送システムにおける電圧調整動作を示すフローチャートである。これら図１〜図５を参照して本発明の第１の実施例による光伝送システムにおける電圧調整動作について説明する。
【００２９】
エラーカウントフィードバック回路５は誤り訂正回路４から出力されるエラーカウント値を基に、制御対象の回路（本実施例の場合、０／１識別回路３）のコントロール電圧を生成する機能を有している。
【００３０】
まず、エラーカウントｎ秒積算部５１は誤り訂正回路４からのエラーカウント値を積算する（図５ステップＳ１，Ｓ２）。誤り訂正回路４からは誤り訂正の処理周期（一般的に、数十ＫＨｚから数十ＭＨｚ）でエラーカウント値が出力されており、エラーカウントｎ秒積算部５１ではこのエラーカウント値を収集してｎ秒間の積算を行う。積算秒数ｎの値は制御対象の要求する時間間隔を考慮して設定するものとする。
【００３１】
ここで、時刻ｔにおける積算値出力をＫ（ｔ）と呼ぶことにする。Ｋ（ｔ）の値は積算間隔ｎ秒毎に更新されるため、ｔはｎの倍数となる。積算値メモリ５２ではＫ（ｔ）を一時的に格納し、ｎ秒間保持した後に出力する。よって、時刻ｔにおける積算値メモリ５２の出力はｋ（ｔ）に対して、ｎ秒前の（前回処理した）積算値となり、Ｋ（ｔ−ｎ）と表せる。
【００３２】
差分回路５４では時刻ｔにおける入力Ｋ（ｔ）とｎ秒前の積算値Ｋ（ｔ−ｎ）との差分を計算し、差分値ΔＫ（ｔ）を出力する（図５ステップＳ３）。つまり、
ΔＫ（ｔ）＝Ｋ（ｔ）−Ｋ（ｔ−ｎ）
となる。
【００３３】
電圧調整方向判定部５５では差分値ΔＫ（ｔ）がプラスの値か、マイナスの値かを判定し、制御電圧を「−ΔＶ」または「＋ΔＶ」のどちらに変動させるかを決定する（図５ステップＳ４）。ここで、ΔＶは制御電圧の変動幅を表し、制御対象の調整精度に合わせて設定するものとする。エラーが「０」で差分値が「０」の場合には変動幅を「０」とする。
【００３４】
時刻ｔにおける制御電圧の調整方向をＶ（ｔ）とすれば、Ｖ（ｔ）は「−ΔＶ」、「＋ΔＶ」、「０」の３値のいずれかとなる。電圧調整方向は、図４に示すように、差分値ΔＫ（ｔ）がプラスの場合には前回（ｎ秒前）の調整方向を反転させ、差分値ΔＫ（ｔ）がマイナスの場合には前回（ｎ秒前）の調整方向をそのまま保持することとする（図５ステップＳ５）。
【００３５】
つまり、ｎ秒前に制御電圧をある方向に調整した結果、エラーが増加している場合には調整方向を逆へ切り換え、エラーが減少する場合にはそのままの方向を保持することで、制御電圧を適切な値へ収束させる。
【００３６】
前回（ｎ秒前）のＶ（ｔ−ｎ）が「０」の場合には、差分値ΔＫ（ｔ）がプラス、マイナスにかかわらず、一旦、「＋ΔＶ」方向に調整する。次段の調整ＯＮ／ＯＦＦスイッチ５６は調整実施時にＯＮとなり、電圧調整方向判定部５５からのＶ（ｔ）が制御電圧調整部５７に入力されるが、未調整時にＯＦＦとなり、制御電圧調整部５７にはＶ（ｔ）＝０の固定値が入力され、制御電圧の調整が抑止される。調整のＯＮ／ＯＦＦの判断は調整実施判定部５３で行う。
【００３７】
時刻ｔのエラー積算値Ｋ（ｔ）を常時監視し、設定した閾値Ａよりもエラー積算値が上回った際に電圧調整をＯＮとする。電圧調整を継続した結果、エラー数が閾値Ｂを下回った場合には、再び電圧調整をＯＦＦとする。
【００３８】
制御電圧調整部５７では電圧調整方向を示すＶ（ｔ）から制御電圧Ｖｓ’（ｔ）を求める（図５ステップＳ６）。制御電圧Ｖｓ’（ｔ）は、
Ｖｓ’（ｔ）＝Ｖｓ’（ｔ―ｎ）＋Ｖ（ｔ）
として、ｎ秒毎に出力されるＶ（ｔ）を逐次加算したものが制御電圧となる。尚、Ｖｓ’（ｔ）の初期値は「０」とする。
【００３９】
最終段のオフセット調整部５８に入力するオフセット電圧αは、初期段階で制御対象に対して制御電圧が最適となるように設定しておく。制御対象への最終的な制御電圧出力Ｖｓ（ｔ）は、
Ｖｓ（ｔ）＝Ｖｓ’（ｔ）＋α
となる。制御対象では、制御電圧の初期値αから逐次更新されるＶｓ（ｔ）の出力に応じてパラメータを変動させる（図５ステップＳ７，Ｓ８）。
【００４０】
すなわち、エラーカウントフィードバック回路５では何らかの原因でエラー積算値が増加し、閾値Ａを超えた時点で制御電圧Ｖｓ（ｔ）の調整が開始される。制御電圧Ｖｓ（ｔ）の調整はｎ秒毎に継続して行われ、それに伴って制御対象のパラメータが変更され、その結果、エラーカウント値が変化する。
【００４１】
制御電圧Ｖｓ（ｔ）の調整が進み、適切な値に近づくと、エラー積算値が減少し、閾値Ｂよりも下がった時点で制御電圧Ｖｓ（ｔ）の調整が抑止される。調整開始判定の閾値Ａと調整停止判定の閾値Ｂとは、Ａ＞Ｂの関係としてヒステリシスを持たせ、切り換え動作の安定化を図る。エラーカウントフィードバック回路５はこの動作を逐次繰り返すことで、制御対象に対する制御電圧Ｖｓ（ｔ）を適正値に保つことができる。
【００４２】
このように、本実施例では積算エラーカウント値の差分情報を用いた逐次制御を行うことによって、運用中における伝送パラメータを自動調整することができる。また、本実施例の構成は簡潔なロジックとメモリとで構成することができるため、小規模な回路で実現することができ、搭載する装置の小型化を図ることができる。
【００４３】
さらに、本実施例はエラーカウントフィードバックの一般的な回路構成であるため、０／１識別の閾値調整、位相調整、分散補償量調整や送信側のプリエンファシス量調整等、エラーカウント値を必要とする伝送路パラメータ調整フィードバック系に汎用的に組み込むことができる。
【００４４】
図６は本発明の第２の実施例によるエラーカウントフィードバック回路の構成例を示すブロック図である。図６において、エラーカウントフィードバック回路６は調整実施判定部６１の制御出力を差分回路５４のリセット入力に接続するようにし、調整ＯＮ／ＯＦＦスイッチ５６を削除した以外は図３に示す本発明の第１の実施例によるエラーカウントフィードバック回路５と同様の構成となっており、同一構成要素には同一符号を付してある。また、同一構成要素の動作は本発明の第１の実施例と同様である。
【００４５】
調整実施判定部６１は調整ＯＮと判断した場合、リセット信号を発出せず、本発明の一実施例と同様の動作を行う。調整実施判定部６１は調整ＯＦＦと判断した場合、差分回路５４の出力にリセットをかけ、ΔＫ（ｔ）＝０に固定する。
【００４６】
図４に示すように、ΔＫ（ｔ）＝０の場合には、電圧調整方向判定部８５の出力Ｖ（ｔ）も「０」となるため、結果として制御電圧Ｖｓ’（ｔ）及びＶｓ（ｔ）は調整されない。よって、本発明の第２の実施例では、図３に示す本発明の第１の実施例と同等の動作が可能となる。
【００４７】
図７は本発明の第３の実施例によるエラーカウントフィードバック回路の構成例を示すブロック図である。図７において、エラーカウントフィードバック回路７は調整実施判定部５１及び調整ＯＮ／ＯＦＦスイッチ５６を削除した以外は図３に示す本発明の第１の実施例によるエラーカウントフィードバック回路５と同様の構成となっており、同一構成要素には同一符号を付してある。また、同一構成要素の動作は本発明の第１の実施例と同様である。
【００４８】
本発明の第３の実施例ではエラー積算値の閾値判定による調整のＯＮ／ＯＦＦを行わず、差分回路５４の出力のΔＫ（ｔ）のみを調整条件として制御電圧Ｖｓ’（ｔ）、Ｖｓ（ｔ）の調整を行う。
【００４９】
エラーが発生し、ΔＫ（ｔ）≠０の時には、図３に示す本発明の第１の実施例と同様の動作を行う。また、制御電圧Ｖｓ（ｔ）が適正値に調整され、エラーがない状態になると、エラーカウント値Ｋ（ｔ）及びｎ秒前の積算値Ｋ（ｔ−ｎ）がともに「０」となるため、ΔＫ（ｔ）＝０となる。
【００５０】
図４に示すように、ΔＫ（ｔ）＝０の際には、電圧調整方向判定部５５の出力Ｖ（ｔ）も「０」となるため、結果として制御電圧Ｖｓ’（ｔ）及びＶｓ（ｔ）は調整されない。よって、本発明の第３の実施例では、図３に示す本発明の第１の実施例と同等の動作が可能となる。
【００５１】
図８は本発明の第４の実施例による光伝送システムの受信機の構成を示すブロック図であり、図９は本発明の第４の実施例による光伝送システムにおける受信波形と閾値との関係を示す図である。
【００５２】
図８において、受信機８はＯ／Ｅコンバータ８１と、分配器８２と、アンプ８３−１〜８３−（２n −１）と、高速二値判定回路８４−１〜８４−（２n −１）とから構成され、ＦＥＣ回路９に接続されている。
【００５３】
上述した本発明の第１〜第３の実施例ではＯ／Ｅ変換部１の出力を分配器（図示せず）によって分岐し、０／１識別回路３に直接入力している。しかしながら、Ｏ／Ｅ変換処理後にアンプを用いて信号を増幅するケースが多々あり、これらのケースの場合には、図１２に示すような従来の構成でも上述した本発明の第１〜第３の実施例と同様の効果が得られる。
【００５４】
本実施例ではアンプ及び高速二値判定回路をそれぞれｎビット軟判定に必要な閾値の数２n −１個だけ設け、それらアンプ８３−１〜８３−（２n −１）及び高速二値判定回路８４−１〜８４−（２n −１）を並列接続している。
【００５５】
高速二値判定回路８４−１〜８４−（２n −１）の閾値は全て同じ値のα’に固定されているが、アンプ８３−１〜８３−（２n −１）のバイアス電圧Ｂｉａｓ＿１〜Ｂｉａｓ＿２n −１はそれぞれ段階的に異なる値に設定されている。
【００５６】
本実施例の場合、受信波形と識別閾値α’との関係は図９に示すようになり、固定の識別閾値α’のレベルに対して受信信号のレベルが上下するため、等価的に上述した本発明の第１〜第３の実施例と同様の効果が得られる。
【００５７】
図１０は本発明の第５の実施例による光伝送システムの受信機の構成を示すブロック図であり、図１１は本発明の第５の実施例による光伝送システムにおける受信波形と閾値との関係を示す図である。
【００５８】
図１０において、本発明の第５の実施例による受信機１０は、アンプ９１−１〜９１−（２n −１）の各バイアス電圧を一定とし、それぞれのゲインＧａｉｎ＿１〜Ｇａｉｎ＿２n −１を段階的に設定するようにした以外は図８に示す本発明の第４の実施例による受信機８と同様の構成となっており、同一構成要素には同一符号を付してある。また、同一構成要素の動作は本発明の第４の実施例と同様である。
【００５９】
本実施例の場合、受信波形と識別閾値α’との関係は図１１に示すようになり、固定の識別閾値α’のレベルに対して受信信号のレベルは各アンプ９１−１〜９１−（２n −１）のゲインＧａｉｎ＿１〜Ｇａｉｎ＿２n −１の相違によって変化するため、等価的に上述した本発明の第１〜第３の実施例と同様の効果が得られる。
【００６０】
【発明の効果】
以上説明したように本発明は、誤り訂正処理部で訂正したエラー数を示すエラーカウント値を伝送路及び送受信機のいずれかの状態や特性を示す一つの指標として用いる長距離光伝送システムにおいて、エラーカウント値を用いて制御対象の回路の閾値を逐次調整することによって、運用中における伝送パラメータの自動調整を行うことができるという効果が得られる。
【図面の簡単な説明】
【図１】本発明の第１の実施例による光伝送システムの受信機の構成を示すブロック図である。
【図２】（ａ）は本発明の第１の実施例による光伝送システムにおける初期設定時の受信波形と可変閾値との関係を示す図、（ｂ）は本発明の第１の実施例による光伝送システムにおける劣化時の受信波形と可変閾値との関係を示す図である。
【図３】図１のエラーカウントフィードバック回路の構成例を示すブロック図である。
【図４】本発明の第１の実施例による光伝送システムにおける電圧調整方向の決定方法の一例を示す図である。
【図５】本発明の第１の実施例による光伝送システムにおける電圧調整動作を示すフローチャートである。
【図６】本発明の第２の実施例によるエラーカウントフィードバック回路の構成例を示すブロック図である。
【図７】本発明の第３の実施例によるエラーカウントフィードバック回路の構成例を示すブロック図である。
【図８】本発明の第４の実施例による光伝送システムの受信機の構成を示すブロック図である。
【図９】本発明の第４の実施例による光伝送システムにおける受信波形と閾値との関係を示す図である。
【図１０】本発明の第５の実施例による光伝送システムの受信機の構成を示すブロック図である。
【図１１】本発明の第５の実施例による光伝送システムにおける受信波形と閾値との関係を示す図である。
【図１２】従来例による光伝送システムの受信機の構成を示すブロック図である。
【図１３】（ａ）は従来例による光伝送システムにおける初期設定時の受信波形と固定閾値との関係を示す図、（ｂ）は従来例による光伝送システムにおける劣化時の受信波形と固定閾値との関係を示す図である。
【符号の説明】
１  Ｏ／Ｅ変換部
２  クロック再生回路
３  ０／１識別回路
４  誤り訂正回路
５〜７  エラーカウントフィードバック回路
５１  エラーカウントｎ秒積算部
５２  積算値メモリ
５３，６１  調整実施判定部
５４  差分回路
５５  電圧調整方向判定部
５６  調整ＯＮ／ＯＦＦスイッチ
５７  制御電圧調整部
５８  オフセット調整部
８，１０  受信機
８１  Ｏ／Ｅコンバータ
８２  分配器
８３−１〜８３−（２n −１），
９１−１〜９１−（２n −１）  アンプ
８４−１〜８４−（２n −１）  高速二値判定回路
【図１】
0004462802.tif 000002
【図２】
0004462802.tif 000003
【図３】
0004462802.tif 000004
【図４】
0004462802.tif 000005
【図５】
0004462802.tif 000006
【図６】
0004462802.tif 000007
【図７】
0004462802.tif 000008
【図８】
0004462802.tif 000009
【図９】
0004462802.tif 000010
【図１０】
0004462802.tif 000011
【図１１】
0004462802.tif 000012
【図１２】
0004462802.tif 000013
【図１３】
0004462802.tif 000014